(57)【要約】      （修正有）【課題】寝たきりでも、楽な状態で手指のリハビリを行う事の出来る手指の運動具、簡単な構造で安価で、安全性があり、何処でも、又老若男女を問わず使用できる手指運動健康具を提供する。【解決手段】永久磁石１，１１の反発力をバネの作用として、利用することで、即ち、筒状有底容器３，４を開放側に相互に摺動自在に、遊嵌し、前記一方の有底容器の底部３に、又、他方の有底容器４の開放部に板状、又は筒状の永久磁石３，４を反発状態に装着する。又、永久磁石の吸着力を利用することで、即ち、有底容器の開放側を同方向に摺動自在に遊嵌し、有底容器の夫々の底部に永久磁石を吸着状態に装着することで、上記課題を解決する。【選択図】図２
2008161420.tif 000002
【特許請求の範囲】
【請求項１】
磁性体からなる筒状外装の内部に、筒状有底容器の開放側を相互に摺動自在に遊嵌し、前記一方の有底容器の底部に、又、他方の有底容器の開放部に、夫々板状、或いは、筒状の永久磁石を反発状態に装着し、上記夫々の有底容器に装着された永久磁石を対向方向に押圧、解除する操作に連動して永久磁石の反発を可能にすると共に、磁束の変化をも可能にした事を特徴とする磁力を利用した手指運動健康具。
【請求項２】
磁性体からなる筒状外装の内部に、筒状有底容器の開放側を同方向に摺動自在に遊嵌して、前記有底容器の夫々の底部に、板状、或いは、筒状の永久磁石を非磁性体から成るスペーサーを介して吸着状態に装着し、上記有底容器に装着された永久磁石を反発方向に吸引、離間する操作に連動して永久磁石の吸着を可能にすると共に、磁束の変化をも可能にした事を特徴とする磁力を利用した手指運動健康具。
【請求項３】
磁性体からなる筒状外装の内部に、径方向に着磁され中心部に貫通孔を有する筒状永久磁石を装着し、その内径部に、樹脂製スリーブを介して、磁性体、又は、永久磁石からなる円柱、又は、角柱を挿入し、上記円柱、又は角柱を軸方向に、押圧、解除する操作に連動して、磁性体、或いは、永久磁石からなる円柱、或いは角柱の吸着、離脱を可能にすると共に、磁束の変化をも可能にしたことを、特徴とする磁力を利用した手指運動健康具。
【発明の詳細な説明】
【技術分野】
【０００１】
本発明は永久磁石の磁力、即ち、吸着力、反発力の組み合わせを利用した手指運動健康具具に関するもので、手指の運動によって脳を刺激し、脳を活性化させ、老人のボケ防止や、機能障害者のリハビリテーションに寄与するとともに、手指のツボ部を永久磁石の磁力で刺激し手指の筋肉をほぐしたりして血行を促進する手指運動健康具に関する。
【背景技術】
【０００２】
従来の手指運動具は、くるみを１個或いは複数個、手のひらの中で握りながら回転させるのを初め、鋼鉄製のバネを圧縮するもの、樹脂等の弾力を利用したもの等が殆どで、永久磁石の、吸着力、反発力を利用した方式のものはなかった。
例えば、従来からのものとしては、毒性がなく手指で握ることで塑性変形をなしうる粘度の合成ゴムまたは合成樹脂製粘性物からなる手指運道具。（特許文献１）
又、回転補助円盤を使用した指回し体操用の補助具、（特許文献２）
或いは指体操健康補助具としてリング状の本体に指を固定する為の指挿入孔を配しリング本体の外側の面と、リング本体内側の面に手のツボ圧用凸を設け、更にリング本体外側の一面に据え置き用本体ベースを設けたもの等が、先行技術としてあげられる。
（特許文献３）
【特許文献１】公開実用新案公報  平２−３２８６３号公報
【特許文献２】特開平１０−１４６０１号公報
【特許文献３】特開２００２−６５８９３号公報
【発明の開示】
【発明が解決しようとする課題】
【０００３】
従来の手指運動具では、スポーツ選手の使う、握力強化などを目的としたものは有るが、単に手指を動かすだけのもので、上記記載の様に、バネ、弾力は夫々、当初の強さを持続するだけで、弾力の可変はできず、夫々の弾力に合わせていくつもの、運道具を必要としていた。また、弾力の利用は、金属性のバネ、樹脂性等の弾力性部材によるものが主力であった。これらは、度重なる押圧、解除によって、金属疲労、経年変化の結果、不具合を生じ使用できなくなるものもあった。
運動選手の使用する運道具は、一般の人が使うには、押圧が強く、日常の少しの間での軽い運動には適していないものである。そして、磁力の反発、吸着を利用したものは、従来なかった。
近年、老齢化に伴い老人の認知症の予防、又、交通事故等による怪我によっての機能障害のリハビリテーションに伴い、手指の運道具の必要が望まれている。
本発明は、寝たきりの状態でも、楽な状態で手指のリハビリを行うことが出来ると共に、簡単な構造で、安価で、安全性があり、何処でも、また、老若男女を問わず使用できる手指運道健康具を提供することを課題とする。
その上、内部に装着の永久磁石の磁力が、掌、手の指先に存在するツボへの刺激を効果的に与える事で末梢神経を刺激して血行を盛んにし、神経の正常な活動を促し全身の筋肉の能力をバランスよくし、全身疲労の回復、スタミナ増強、老人のボケの予防など、健康な一般人に対しても、効果ある手指運動健康具を提供することを課題とする。
【課題を解決するための手段】
【０００４】
上記問題を解決する為に本発明が採用した第１の技術手段は、永久磁石の反発力をバネの作用として利用し、磁性体からなる筒状外装の内部に、筒状有底容器を開放側に相互に摺動自在に、遊嵌し、前記一方の有底容器の底部に、又、他方の有底容器の開放部に、板状、または筒状の永久磁石を有底容器の底部との間にスペーサーを挿入して、反発状態に装着し、上記永久磁石を対向方向に押圧、解除する操作の連動して永久磁石の吸着、反発を可能にすると共に、磁束の変化をも可能にした事を特徴とするものである。
第２の技術手段は永久磁石の吸着力を利用して、磁性体からなる筒状外装の内部に、筒状有底容器の開放側を同方向に摺動自在に遊嵌し、上記夫々の有底容器の底部に、板状、または筒状の永久磁石を非磁性体からなるスペーサーを介して吸着状態に装着し、上記永久磁石を反発方向に吸引、離間する操作に連動して永久磁石の吸着を可能にすると共に、磁束の変化をも可能にしたことを特徴とするものである。
又、第３の技術手段は、磁性体からなる筒状外装の内部に、径方向に着磁され中心部に貫通孔を有する筒状永久磁石を装着し、その内径部に、樹脂製スリーブを介して、磁性体または、永久磁石からなる円柱、又は、角柱を挿入し、上記磁性体または、永久磁石からなる円柱、又は角柱を軸方向に、押圧、解除する操作に連動して、磁性体或いは、永久磁石からなる円柱、或いは角柱の、吸着、離脱を可能にすると共に、磁束の変化をも可能にした事を特徴とするものである。
【発明の効果】
【０００５】
従って、本発明によれば、有底容器に装着する板状、または筒状の永久磁石の数量を変えることで、弾力の可変が簡単に出来、柔らかな弾力が得られるため、手指運動健康具を、押圧、解除、吸引離間することで、手指の筋肉が伸展、弛緩し、血液の循環を良くし、又、手指のツボに磁束が変化した状態で印加されることで、手指の運動との相互作用でツボ及び付近の筋肉に微小電流を発生させ、それらに刺激を与えることで、活性化、又、血液などの体液の循環促進に効果がある。
【０００６】
有底容器の外側に磁性体の筒を装着させることで、磁束の漏洩を防止し、ＩＣカード、各種電子機器への影響を無くすことで、何処でも、乗り物に乗りながら、ＴＶを見ながら、歩きながらでも、使用できることが効果としてあげられる。
【発明を実施するための最良の形態】
【０００７】
本発明は永久磁石の磁力、即ち、吸着力、反発力の組み合わせを利用した手指運動健康具で、有底容器に永久磁石を、反発状態、又は、吸着状態、に装着する事で、永久磁石を、対向方向に押圧、解除、或いは、反発方向に吸引、離間すると共に磁束の変化をも、可能にしたにしたものである。
【実施例１】
【０００８】
図１は請求項１の手指運動健康具の斜視図である。筒状外装２は、磁性体からなり、その内部に、有底容器３、４、が、夫々、摺動自在に遊嵌されている。有底容器の材質に関しては制限無く、樹脂、金属などが主に使用されるが、有底容器の組み合わせによっては、磁性体、非磁性体と、区別される。又有底容器３，４の形状は、円筒状、であるが、角筒状でもよい。筒状外装２、と有底容器３、は、はめ合い状態に、組み付けられている。
図２、は図１のＡ―Ａの断面図で永久磁石１、永久磁石１１、は夫々反発状態に装着されている。有底容器３、の底の部分には、磁性体からなる、リング形状のワッシャ２２、及び、片面に円形凸上突起部を有する円盤状の蓋２３、が永久磁石１の磁力によって、磁極面に吸着されて装着されている、円盤状の蓋２３を外すと、リング形状のワッシャ２２、は、その中央部に貫通穴があり、その貫通孔の部分に手指の先端部分を当てる様に取り付けられている。手指の運動を行うときは、円盤状の蓋２３を外して使用する、
その結果、有底容器の押し圧、解除に連動して、貫通孔付近において、手指爪部分に、磁束が変化して、印加されることになる。図９は使用状態を示している。
使用しない状態、持ち運び、等で磁気の影響が心配される場合は、円盤状の蓋２３、をリング形状のワッシャ２２の上面に装着し、リング形状のワッシャ２２の貫通孔を塞ぎ、磁束の漏れを防ぐよう構成されている。
円盤状の蓋２３、リング形状のワッシャ２２は、永久磁石１の磁力によって保持されるが、リング状のワッシャ２２は、円筒状外装２、とはハメ合い状態で組み合わされている。このことは、磁路形成上、出来るだけギャップを無くしたいためである。円筒状外装２の長さは、有底容器３、の開放部が１〜５ｍｍ程度見える程度に設定されている。永久磁石１１は、永久磁石１、と相対する面が同極となるよう有底容器４、の開放部に設置されている。
【０００９】
永久磁石１１は継鉄４１を介して、非磁性ストッパー４２、によって、永久磁石１の反発力との釣り合いで、固定されるので、永久磁石の厚み、或いは、枚数を変えると、その都度、ストッパー４２、の厚み、或いは、枚数をも変える必要がある。永久磁石の外径寸法と、有底容器４、開放部の内径寸法は、ハメアイ状態が望ましい。非磁性ストッパー４２、は円盤状の積み重ね、或いは、円筒状のものを使用するが、材質としては永久磁石１の磁力の反発力によって変形しないようの硬度を持つ非磁性体が必要である。
ストッパー４２が、円筒状の場合は、内部空間に、カウンター、音声発生装置等、の付属装置を収納する事で運動の回数等の表示も可能となる。
又、永久磁石１１、とスペーサー４１、との間には、別の永久磁石を挿入する事で、永久磁石の磁力の強さを変えることが出来るように構成されている。永久磁石の材質は希土類磁石、ボンド磁石、フェライト磁石等、何れでも良いが、弾力、耐久性、等を考慮し、使用状況によって選択するのが良い。風呂、プール等、水中で使用する場合は、フェライト磁石が、防錆の点で優れている。
【実施例２】
【００１０】
図３は、請求項２の手指運動健康具の斜視図である。
図４は、図３のＢ―Ｂの断面図で、永久磁石１、は有底容器５、の底部に、永久磁石１１、は、有底容器３、の底部に、スペーサー６、を介して、夫々、吸着状態に、装着されている。有底容器３の底の部分には、穴が開いていて、その穴を通して、磁性体からなる底板２４の片面に付属している円形凸状突起部が永久磁石１１の磁極面に吸着するように取り付けられている。各部分の材質に関しては、筒状外装２、有底容器５、底板２４、は磁性体、で構成し磁束の磁路を閉磁路とし、外部への磁束の漏洩を防いでいる。
有底容器３、スペーサー６、滑り止め７、は非磁性体で構成されている。又、スペーサー６、の厚さを変えることで離間引力の強さを変えることが出来る。スペーサーの材質は、永久磁石１、１１、の吸着力で変形しないような硬度を持つことが必要である。
特にリハビリ用に使用する場合は、漸次スペーサー６、の厚みを変えることで、進捗状況を確認する事が出来る。
滑り止め７は、柔らかい樹脂、布などからなっている。装着は接着等で行なう。
使用時は、図１０に示す如く、有底容器５の内部に手指を挿入し、滑り止めに指を当て、有底容器３との、離間の操作の都度、挿入された手指の爪の付け根附近のツボに、変化した磁束が印加されるよう構成されている。
【実施例３】
【００１１】
図５は、実施例３の斜視図である。
図６、は図５のC−Cの断面図で、筒状外装２、の内部に、径方向着磁の円筒状磁石１２、をハメアイ合い状態に挿入し、円筒状永久磁石１２、の内径には、樹脂製スリーブ１３、を挿入する。更に、そのスリーブの内径部に、先端部分に円柱状磁性体１４、を繋いだ、押し棒１５、を遊嵌し、押し棒１５のもう一方の先端部分は、外装蓋１６、と螺子止めされている。筒状外装２、と筒状外装蓋１６とは、遊間状態にある。通常時は、押し棒１５、は円筒状永久磁石１２の磁力によって、円柱状磁性体の部分が、略、円筒状永久磁石の内部中央に位置している。外装蓋１６、を押圧すると、内部の磁気回路のバランスが崩れ反発力で、戻される。押圧、解除、の繰り返しが、手指の運動となる。
外装蓋１６、と反対部分の外装蓋１７は、永久磁石の磁束を閉磁路として、外部に磁気の影響を無くすためのもので、ツボに磁束を印加したい時は外して、使用する。
円筒状永久磁石は、角筒状でも良い。
筒状外装は磁性体からなるが、皮膚との接触による金属アレルギー等を考慮し、金メッキとするのが最も良いが、樹脂によるコーティングでも良い。
【００１２】
図７は本発明の実施例１の作用説明図である。
筒状外装２とリング形状のワッシャ２２とからなる磁気回路の一部にリング形状のワッシャ２２の貫通孔とからなる磁気回路のギャップが有り、その部分に手指の爪の付け根部分を当て有底容器を、押し圧、解除することで、磁力の変化を生じさせる。その結果、爪の付け根部分のツボにも磁束の変化が及ぶようになる。
実施例２の場合は、図８に示す如く、有底容器５を、有底容器３から離間、吸引させることで、磁力の変化を生じさせる。その結果、有底容器５の内部にある滑り止め７に蜜着している指先の爪の付け根部分のツボにも、磁束の変化が及ぶようになる。
【００１３】
図８に本発明の実施形態に係る手指運動健康具の使用状態を示す、
手指の動きに連動して、有底容器３，４が、反発状態に、対応する。此れらの繰り返しによって手指の運動が持続する。
朝、晩、或いは随時に10〜２０回、続ける事で、充分な効果が有る。
人間の筋肉は、長い間動かないと、衰退してしまう、しかし、一日、１０秒程度の動きで衰退を免れることが出来ると言われている。
図９は、もう一方の本発明の実施形態に係る手指運動健康具の使用状態を示す。
挿入する指先を変えることで、その指に関連する体内の臓器の機能を刺激することができる。
図１１、１２は本発明の実施形態に係る手指運動健康具の他の使用状態を示す。
【図面の簡単な説明】
【００１４】
【図１】本発明の手指運動健康具の実施例１を示す斜視図である。
【図２】図１のA−Aの断面図である。
【図３】本発明の手指運動健康具の実施例２を示す斜視図である。
【図４】図３のB−Bの断面図である。
【図５】本発明、手指運動健康具の実施例３を示すの概観図である。
【図６】図６のC―Cの断面図である。
【図７】本発明の実施形態に係る手指運動健康具の作用説明図である。
【図８】本発明の他の実施形態に係る手指運動健康具の作用説明図である。
【図９】本発明の実施形態に係る手指運動健康具の使用状態を示す斜視図である。
【図１０】本発明の他の実施形態に係る手指運動健康具の他の使用状態を示す斜視図である。
【図１１】本発明の実施形態に係る手指運動健康具の他の使用状態を示す斜視図である。
【図１２】本発明の実施形態に係る手指運動健康具の他の使用状態を示す斜視図である。
【符号の説明】
【００１５】
１    永久磁石
２    筒状外装
３    有底容器  （外側）
４    有底容器  （内側）
５    有底容器  （内側―２）
６    スペーサー
７    滑り止め  
１１    永久磁石
２２    リング状のワッシャ
２３    円盤状の蓋
【図１】
2008161420.tif 000003
【図２】
2008161420.tif 000004
【図３】
2008161420.tif 000005
【図４】
2008161420.tif 000006
【図５】
2008161420.tif 000007
【図６】
2008161420.tif 000008
【図７】
2008161420.tif 000009
【図８】
2008161420.tif 000010
【図９】
2008161420.tif 000011
【図１０】
2008161420.tif 000012
【図１１】
2008161420.tif 000013
【図１２】
2008161420.tif 000014